(57)【特許請求の範囲】
【請求項１】
設置対象の候補となる照明機器に付された無線タグから、当該照明機器の制御に用いられる詳細情報であって、当該照明機器の出力を示す出力情報を含む詳細情報を読み出す読出部と；
前記読出部が読み出した詳細情報を前記設置対象の候補となる照明機器の情報として記憶する記憶部と；
前記記憶部が記憶する情報のうち、設置された照明機器の詳細情報を特定する特定部と；
前記特定部により特定された詳細情報を表示する表示部と；
を具備することを特徴とする制御装置。  
【請求項２】
設置対象の候補となる照明機器に付された無線タグから、当該照明機器の情報を読み出す読出部と；
前記読出部が読み出した情報を前記設置対象の候補となる照明機器の情報として記憶する記憶部と；
前記記憶部が記憶する情報のうち、制御対象として双方向通信が可能な照明機器の情報を特定する特定部と；
前記特定部により特定された情報を表示する表示部と；
を具備することを特徴とする制御装置。
【請求項３】
設置対象の候補となる照明機器の情報を記憶する記憶部と；
前記記憶部が記憶する情報のうち、設置された照明機器の情報を特定する特定部と；
前記特定部により特定された情報を表示し、設置された照明機器の情報が前記記憶部に記憶されていない場合は、前記情報が記憶されていない照明機器が接続された旨の通知を表示する表示部と；
を具備することを特徴とする制御装置。
【請求項４】
前記記憶部は、前記照明機器の情報として、当該照明機器の識別子と、当該照明機器の詳細情報とを対応付けて記憶し、
前記特定部は、設置された照明機器から識別子を収集し、収集した識別子と対応付けられた詳細情報を特定し、
前記表示部は、前記特定部が特定した詳細情報を表示する
ことを特徴とする請求項１〜３のうちいずれか１つに記載の制御装置。  
【請求項５】
前記照明機器との通信を中継する中継装置が設置された位置を示す位置情報を記憶する位置記憶部；
を具備し、
前記表示部は、前記位置記憶部が記憶する位置情報のうち、設置された照明機器との通信を中継する中継装置の位置情報を表示する；
ことを特徴とする請求項１〜４のうちいずれか１つに記載の制御装置。 
【発明の詳細な説明】
【技術分野】
【０００１】
本発明の実施形態は、制御装置に関する。
【背景技術】
【０００２】
従来、スタジオや舞台等では、制御装置からの遠隔操作に従って複数の照明機器を制御する照明システムが導入されている。例えば、このような照明システムの制御装置は、ＤＭＸ５１２と呼ばれる規格を拡張したＲＤＭ（Remote  Device  Management）と呼ばれる規格に沿って、スタジオや舞台等に設置された照明機器から照明機器の情報を収集し、収集した情報の表示や、収集した情報に基づいて、調光を制御する。
【０００３】
例えば、制御装置は、スタジオや舞台等に設置された各照明機器から、照明機器の識別子であるＵＩＤ（Unique  Identifier）を一括で収集する。そして、制御装置は、各ＵＩＤが示す照明機器と個別に通信し、機器情報や使用するチャンネルの数といった詳細情報を順に取得する。しかしながら、このような従来技術では、各照明機器の詳細情報を個別に収集するので、照明システムの準備に時間がかかるという問題がある。
【先行技術文献】
【非特許文献】
【０００４】
【非特許文献１】“LICSTAR-IV  TypeJ  |  調光機器  |  アートライティング｜東芝エルティーエンジニアリング(株)”、［online］、［平成２７年１１月２７日検索］、インターネット＜http://www.lte.co.jp/art/catalogue/console/licstar4j.htm＞
【発明の概要】
【発明が解決しようとする課題】
【０００５】
本発明が解決しようとする課題は、照明システムの準備にかかる時間を短縮できる制御装置を提供することである。
【課題を解決するための手段】
【０００６】
実施形態の一例に係る制御装置は、読出部と、記憶部と、特定部と、表示部とを有する。読出部は、設置対象の候補となる照明機器に付された無線タグから、照明機器の制御に用いられる詳細情報であって、照明機器の出力を示す出力情報を含む詳細情報を読み出す。記憶部は、読出部が読み出した詳細情報を設置対象の候補となる照明機器の情報として記憶する。特定部は、記憶部が記憶する情報のうち、設置された照明機器の詳細情報を特定する。表示部は、特定部により特定された詳細情報を表示する。
【発明の効果】
【０００７】
実施形態の一例に係る制御装置によれば、照明システムの準備にかかる時間を短縮することができる。
【図面の簡単な説明】
【０００８】
【図１】図１は、実施形態に係る制御装置の一例を示す図である。
【図２】図２は、実施形態に係る各装置の照明システムの構成例を示すブロック図である。
【図３】図３は、実施形態に係る制御装置の機能構成の一例を示すブロック図である。
【図４】図４は、実施形態にかかる詳細情報記憶部に登録される情報の一例を示す図である。
【図５】図５は、実施形態にかかる設置位置記憶部に登録される情報の一例を示す図である。
【図６】図６は、実施形態にかかる制御装置の登録処理の一例を説明するフローチャートである。
【図７】図７は、実施形態に係る制御装置の表示処理の一例を説明するフローチャートである。
【図８】図８は、実施形態に係る制御装置が表示する情報の一例を示す図である。
【発明を実施するための形態】
【０００９】
以下、図面を参照して、実施形態に係る制御装置を説明する。実施形態において同一の機能を有する構成には同一の符号を付し、重複する説明は省略する。なお、以下の実施形態で説明する制御装置は、一例を示すに過ぎず、実施形態を限定するものではない。例えば、以下の実施形態では、制御装置は、照明機器以外にも、任意の舞台装置の制御にも適用することができる。なお、以下の各実施形態は、矛盾しない範囲内で適宜組みあわせてもよい。
【００１０】
以下の実施形態に係る制御装置１００は、詳細情報記憶部１２１と、特定部１５４と、表示部１３０とを有する。詳細情報記憶部１２１は、設置対象の候補となる照明機器１０の情報を記憶する。特定部１５４は、詳細情報記憶部１２１が記憶する情報のうち、設置された照明機器１０の情報を特定する。表示部１３０は、特定部１５４により特定された情報を表示する。
【００１１】
また、以下の実施形態に係る制御装置１００は、照明機器１０に付された無線タグ２０から照明機器１０の情報を読み出す読出部１５１を具備する。そして、記憶部１２１は、読出部１５１が読み出した情報を設置対象の候補となる照明機器１０の情報として記憶する。
【００１２】
また、以下の実施形態に係る制御装置１００では、詳細情報記憶部１２１は、照明機器１０の情報として、照明機器の識別子（例えば、ＵＩＤ（Unique  Identifier））と、照明機器１０の詳細情報とを対応付けて記憶する。また、特定部１５４は、設置された照明機器１０から識別子を収集し、収集した識別子と対応付けられた詳細情報を特定する。そして、表示部１３０は、特定部１５４が特定した詳細情報を表示する。
【００１３】
また、以下の実施形態に係る制御装置１００では、表示部１３０は、設置された照明機器１０の情報が詳細情報記憶部１２１に記憶されていない場合は、情報が記憶されていない照明機器１０が接続された旨の通知を表示する。
【００１４】
また、以下の実施形態に係る制御装置１００は、照明機器１０との通信を中継する中継装置（例えば、ＤＭＸノード３０、４０）が設置された位置を示す位置情報を記憶する位置記憶部としての設置位置記憶部１２２を有する。そして、表示部１３０は、設置位置記憶部１２２が記憶する位置情報のうち、設置された照明機器１０との通信を中継する中継装置の位置情報を表示する。
【００１５】
［実施形態］
〔制御処理の一例〕
以下、制御装置１００の一例として、照明システム１が有する制御装置１００の一例について説明する。図１は、実施形態に係る制御装置の一例を示す図である。図１に示す例では、照明システム１は、複数の照明機器１０ａ〜１０ｃ、無線タグ２０ａ〜２０ｃ、ＤＭＸノード３０、および制御装置１００を有する。なお、照明システム１は、任意の数の照明機器１０ａ〜１０ｃを有してよい。また、以下の説明では、照明機器１０ａ〜１０ｃを照明機器１０と総称する場合がある。
【００１６】
また、図１に示す照明システム１において、制御装置１００とＤＭＸノード３０とは、例えばイーサネット（登録商標）やＬＡＮ（Local  Area  Network）等の所定のネットワークにより通信可能に接続される。また、ＤＭＸノード３０と照明機器１０とは、ＤＭＸ５１２を拡張したＲＤＭといった双方向通信が可能な規格により接続されている。
【００１７】
照明機器１０は、例えばＬＥＤ（Light  Emitting  Diodes）等の半導体発光素子を光源とする照明装置であり、例えば、スポットライト、ホリゾントライト、フラッドライト等といった照明装置である。なお、照明機器１０は、バトン（図示省略）等により所定の位置に吊り下げられたり、所定の位置に置かれたりして用いられる。
【００１８】
また、照明機器１０は、制御装置１００からの制御に従って、照明する光の照度、色彩、照明範囲等を変化させる調光処理を行うことで、スタジオや舞台等の照明演出を行う。例えば、照明機器１０には、ＤＭＸアドレスといった制御アドレスが予め付与される。また、照明機器１０は、ＤＭＸノード３０からＤＭＸ規格に沿った制御信号を受信すると、受信した制御信号が示す制御アドレスが自装置の制御アドレスであるか否かを判定し、自装置の制御アドレスである場合は、受信した制御信号に従って、調光処理を実行する。
【００１９】
ＤＭＸノード３０は、制御装置１００と照明機器１０との間の通信を中継する中継装置である。例えば、ＤＭＸノード３０は、ＤＭＸ規格に沿ったインタフェースを用いて照明機器１０を接続可能な複数のポートを有する。また、ＤＭＸノード３０は、イーサネット等のネットワークを介して、制御装置１００から制御対象となる照明機器１０の制御アドレスと、照明機器１０の制御内容とを示す制御情報を受信する。このような場合、ＤＭＸノード３０は、受信した制御情報をＤＭＸ規格に沿った制御信号に変換し、変換後の制御信号を照明機器１０へと出力する。
【００２０】
制御装置１００は、オペレータからの操作に従って、各照明機器１０を制御する制御装置であり、例えば、操作卓と呼ばれる装置である。例えば、制御装置１００は、複数のフェーダを有し、フェーダの操作に従って、対応する照明機器１０の照度や色彩を制御する制御情報をＤＭＸノード３０へと送信する。
【００２１】
ここで、照明機器１０と制御装置１００とは、ＲＤＭ規格に沿った通信を介することで、双方向通信を実現することができる。例えば、照明機器１０は、照明機器１０に関する各種の情報（以下、「詳細情報」と記載する。）が登録されたメモリを有する。より具体的には、照明機器１０は、照明機器１０の識別子であるＵＩＤや、どのような色彩情報に従って照明の色彩を変更するか、使用する制御アドレスの数、出力、製造会社名や機器の型番、重量等といった照明機器１０の詳細を示す詳細情報が登録されている。なお、詳細情報には、照明機器１０の制御において独自に使用される特殊コードや、点灯時間、通電時間、パーソナリティー設定等といった情報が含まれる場合がある。
【００２２】
このような詳細情報は、照明機器１０の制御や、照明機器１０の情報を表示する際に使用される。そこで、従来技術では、ＲＤＭの規格に沿って、照明機器１０の詳細情報を収集し、収集した詳細情報を表示したり、詳細情報を用いた照明機器１０の制御を実現していた。しかしながら、ＲＤＭの規格においては、ＵＩＤを一括収集するコマンドが存在するものの、他の詳細情報については、各照明機器１０から個別に収集する必要がある。この結果、照明システム１の準備に時間がかかるという問題があった。
【００２３】
また、スタジオや舞台等においては、演目の内容等に応じて、倉庫にある照明機器１０のうち一部の照明機器１０が使用されることとなる。また、演目の内容や舞台が変化する場合には、使用される照明機器１０が変更される。しかしながら、使用する照明機器１０が変更される度に使用する照明機器１０の詳細情報を収集するのは、効率的ではない。
【００２４】
そこで、制御装置１００は、以下の制御処理を実行する。まず、制御装置１００は、設置対象の候補となる照明機器１０の詳細情報をあらかじめ記憶しておく。また、制御装置１００は、記憶した詳細情報のうち、設置された照明機器１０の詳細情報を特定する。そして、制御装置１００は、特定された詳細情報を用いて、通信可能な照明機器１０を制御する。
【００２５】
例えば、図１に示す例では、照明機器１０ａ〜１０ｃには、照明機器１０ａ〜１０ｃのＵＩＤと詳細情報とが登録された無線タグ２０ａ〜２０ｃが筐体に設置されている。このような無線タグ２０ａ〜２０ｃは、例えば、各照明機器１０ａ〜１０ｃの出荷時に設置されたものであってもよく、照明システム１をスタジオや舞台等に導入する際に設置されたものであってもよい。
【００２６】
例えば、照明システム１は、無線タグ２０ａ〜２０ｃから情報を読出し可能な無線タグリーダ２００を有する。操作者は、このような無線タグリーダ２００を用いて、新たに購入された照明機器１０ａ〜１０ｃや、倉庫に置かれた照明機器１０ａ〜１０ｃ等、舞台やスタジオ等に設置されうる照明機器１０ａ〜１０ｃ、すなわち、設置対象の候補となる照明機器１０ａ〜１０ｃからＵＩＤと詳細情報とを取得する（ステップＳ１）。そして、制御装置１００は、無線ＬＡＮやＵＳＢ（Universal  Serial  Bus）等を介して、無線タグリーダ２００が取得したＵＩＤと詳細情報とを取得し、取得したＵＩＤと詳細情報とを対応付けて、詳細情報記憶部１２１に登録する（ステップＳ２）。
【００２７】
ここで、実際に設置された照明機器１０として、照明機器１０ａ〜１０ｃのうち照明機器１０ａと照明機器１０ｂとが舞台やスタジオに設置され、ＤＭＸノード３０と接続されたものとする（ステップＳ３）。このような場合、制御装置１００は、ＲＤＭ規格に沿って、設置された照明機器１０ａ、１０ｂのＵＩＤ、すなわち、通信可能な照明機器１０のＵＩＤを一括収集する（ステップＳ４）。例えば、制御装置１０は、ＤＭＸノード３０に対し、照明機器１０のＵＩＤを送信するよう指示する。このような場合、ＤＭＸノード３０は、ＲＤＭ規格に沿って、自装置に接続された各照明機器１０ａ、１０ｂのＵＩＤを収集し、収集したＵＩＤを制御装置１００へと送信する。
【００２８】
続いて、制御装置１００は、ＤＭＸノード３０から照明機器１０ａ、１０ｂのＵＩＤ、すなわち、通信可能な照明機器１０ａ、１０ｂのＵＩＤを受信すると、詳細情報記憶部１２１に登録された詳細情報の中から、受信したＵＩＤと対応付けられた詳細情報を特定する（ステップＳ５）。そして、制御装置１００は、特定した詳細情報を画面上に表示する（ステップＳ６）。この結果、操作者は、実際に設置された照明機器１０ａ、１０ｂの詳細情報を参照しながら、照明機器１０ａ、１０ｂを操作することができる。なお、制御装置１００は、特定された詳細情報を用いて、照明機器１０ａ、１０ｂを制御してもよい（ステップＳ７）。このように、制御装置１００は、実際に設置された照明機器１０のＵＩＤを収集するだけで、詳細情報の表示や制御を可能とするので、照明システム１の準備に係る時間を短縮できる。
【００２９】
〔照明システムの構成例〕
続いて、図２を用いて、実施形態にかかる照明システム１の構成の一例を説明する。図２は、実施形態に係る各装置の照明システムの構成例を示すブロック図である。例えば、図２に示す例では、照明システム１は、複数の照明機器１０ａ〜１０ｈ、各照明機器１０ａ〜１０ｈに設置された無線タグ２０ａ〜２０ｈ、複数のＤＭＸノード３０、４０、制御装置１００、および無線タグリーダ２００を有する。また、ＤＭＸノード３０は、通信制御部３１と、ポート３２ａ〜３２ｄを有する。また、ＤＭＸノード４０は、通信制御部４１と、ポート４２ａ〜４２ｄを有する。
【００３０】
図２に示す例では、制御装置１００と各ＤＭＸノード３０、４０とは、イーサネットを介して接続されている。また、ＤＭＸノード３０と照明機器１０ａ〜１０ｄ、ＤＭＸノード４０と照明機器１０ｅ〜１０ｈとの間は、ＤＭＸやＲＤＭといった規格に沿った通信経路を介して接続されている。
【００３１】
なお、以下の説明では、照明機器１０ａ〜１０ｈを「照明機器１０」と総称する場合があり、無線タグ２０ａ〜２０ｈを「無線タグ２０」と総称する場合がある。また、以下の説明では、ポート３２ａ〜３２ｄを「ポート３２」と総称する場合があり、ポート４２ａ〜４２ｄを「ポート４２」と総称する場合がある。また、以下の説明では、ＤＭＸノード４０の通信制御部４１は、ＤＭＸノード３０の通信制御部３１と同様の機能を発揮するものとして、説明を省略する。また、以下の説明では、ＤＭＸノード４０のポート４２は、ＤＭＸノード３０のポート３２と同様の機能を発揮するものとして、説明を省略する。
【００３２】
また、図２に示す例では、制御装置１００と２つのＤＭＸノード３０、４０とを接続する例について記載したが、実施形態は、これに限定されるものではなく、任意の数のＤＭＸノードが制御装置１００に接続されていてよい。また、図２に示す例では、各ＤＭＸノード３０、４０にそれぞれ４つのポート３２、４２を設置する例について記載したが、実施形態は、これに限定されるものではなく、任意の数のポート３２、４２が設置されていてよい。
【００３３】
図２に示す例では、制御装置１００は、図２中（Ａ）に示すように、無線タグリーダ２００を用いて、照明機器１０ａに設置された無線タグ２０ａから照明機器１０ａのＵＩＤおよび詳細情報を読出し、読み出したＵＩＤおよび詳細情報を対応付けて記憶する。また、ＵＩＤおよび詳細情報が登録された照明機器１０ａは、図２中（Ｂ）に示すように、ＤＭＸノード３０のポート３２ａに接続される。同様に、図２に示す例では、ＤＭＸノード３０、４０の各ポート３２ｂ〜３２ｄ、４２ａ〜４２ｄには、無線タグ２０ｂ〜２０ｈからＵＩＤと詳細情報とが読み出された照明機器１０ｂ〜１０ｈが接続されているものとする。
【００３４】
ここで、制御装置１００は、オペレータからの指示があった場合等の所定のタイミングで、ＵＩＤの送信要求を各ＤＭＸノード３０、４０に対してブロードキャストする。一方、ＤＭＸノード３０の通信制御部３１は、ＵＩＤの送信要求を受信すると、ＵＩＤの送信を要求する制御信号を各ポート３２ａ〜３２ｄから出力する。このような場合、各照明機器１０ａ〜１０ｄは、自装置のＵＩＤをＤＭＸノード３０に返信する。
【００３５】
一方、通信制御部３１は、各ポート３２ａ〜３２ｄを介して、各照明機器１０ａ〜１０ｄのＵＩＤを受信すると、各ポート３２ａ〜３２ｄを識別するポートＩＤと、各ポート３２ａ〜３２ｄを介して受信したＵＩＤとを対応付けた接続情報を制御装置１００に送信する。すなわち、通信制御部４１は、照明機器１０が接続されたポート３２を示す情報を制御装置１００に送信する。
【００３６】
また、制御装置１００は、ＤＭＸノード３０から接続情報を受信すると、受信した接続情報を用いて、制御対象となる照明機器１０ａ〜１０ｄの詳細情報を特定すると共に、各照明機器１０ａ〜１０ｄの接続位置を特定する。例えば、制御装置１００は、各ＤＭＸノード３０、４０が設置された舞台上の位置を示す設置位置情報をあらかじめ記憶している。そして、制御装置１００は、ＤＭＸノード３０から照明機器１０の接続情報を受信すると、設置位置情報に基づいて、ＤＭＸノード３０が設置された位置を特定し、特定された位置に照明機器１０が設置されている旨を表示する。
【００３７】
例えば、制御装置１００は、ＤＭＸノード３０が所定のバトンに設置されている旨の設置位置情報をあらかじめ記憶している。また、制御装置１００は、ＤＭＸノード３０から各照明機器１０ａ〜１０ｄの接続情報を受信すると、接続情報の送信元となるＤＭＸノード３０が設置されているバトンを設置位置情報から特定し、特定されたバトンに照明機器１０ａ〜１０ｄが設置されている旨の情報を表示する。
【００３８】
例えば、制御装置１００は、特定したバトンの位置と、そのバトンに設置された照明機器１０ａ〜１０ｄとをリスト形式で表示する。また、例えば、制御装置１００は、舞台やスタジオに配置されたバトンの位置を模式的に示す画面を表示するとともに、照明機器１０ａ〜１０ｄを示すアイコンを、特定したバトンのアイコンと重ねて表示してもよい。
【００３９】
また、制御装置１００は、照明機器１０が接続されたポート３２を示す情報を表示してもよい。例えば、制御装置１００は、受信した接続情報から、照明機器１０ａ〜１０ｄが接続されたＤＭＸノード３０の各ポート３２ａ〜３２ｄを特定し、特定したポート３２ａ〜３２ｄを示す情報を表示してもよい。より具体的には、制御装置１００は、ＤＭＸノード３０が設置されたバトンを示すアイコンの左側から順に、ポート３２ａに接続された照明機器１０ａ、ポート３２ｂに接続された照明機器１０ｂ、ポート３２ｃに接続された照明機器１０ｃ、ポート３２ｄに接続された照明機器１０ｄを示すアイコンを配置してもよい。
【００４０】
また、制御装置１００は、ＤＭＸノード３０から受信した接続情報からＵＩＤを抽出し、各照明機器１０ａ〜１０ｄの詳細情報を特定する。そして、制御装置１００は、特定した詳細情報を各照明機器１０ａ〜１０ｄのアイコンと共に表示する。また、制御装置１００は、特定した詳細情報を用いて、各照明機器１０ａ〜１０ｄの制御を実行する。なお、詳細情報を用いた制御の具体例については、後述する。
【００４１】
〔制御装置の構成例〕
続いて、図３を用いて、実施形態に係る制御装置１００の機能構成の一例を説明する。図３は、実施形態に係る制御装置の機能構成の一例を示すブロック図である。図３に示す例では、制御装置１００は、通信部１１０、記憶部１２０、表示部１３０、複数の操作部１４０ａ〜１４０ｃ（以下、「操作部１４０」と総称する。）、制御部１５０を有する。
【００４２】
通信部１１０は、例えば、所定の通信回路等によって実現される。例えば、通信部１１０は、イーサネットやＬＡＮ等のネットワークを介して、ＤＭＸノード３０、４０との間の通信を中継する。また、通信部１１０は、例えば、ＵＳＢ等といった所定の接続インタフェースを介して、無線タグリーダ２００との間の通信を中継する。
【００４３】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、詳細情報記憶部１２１、および設置位置記憶部１２２を有する。
【００４４】
詳細情報記憶部１２１には、設置対象の候補となる照明機器の情報を記憶する。より具体的には、詳細情報記憶部１２１には、無線タグリーダ２００を介して無線タグ２０から読み出したＵＩＤと詳細情報とが対応付けて登録される。例えば、図４は、実施形態にかかる詳細情報記憶部に登録される情報の一例を示す図である。図４に示すように、詳細情報記憶部１２１には、「ＵＩＤ」および「詳細情報」といった項目を有する情報が登録される。また、「詳細情報」には、「器具種別」、「出力」、「色彩」、「チャネル数」、「機器情報」といった項目が含まれる。なお、「詳細情報」には、他にも照明機器１０に関する静的な情報が含まれているものとする。なお、「詳細情報」には、照明機器１０に関する動的な情報が含まれていてもよい。
【００４５】
ここで、「ＵＩＤ」とは、ＤＭＸ規格で用いられる装置ごとに固有の番号であり、例えば、照明機器１０に予め付与される１２桁の１６進数で表される情報である。なお、図４に示す例では、「ＵＩＤ」の一例として「ＵＩＤ１」や「ＵＩＤ２」等といった概念的な値を記載した。また、「器具種別」とは、照明機器１０がスポットライトであるか、ホリゾントライトであるか、フラッドライトであるか等といった照明機器１０の種別を示す情報である。また、「出力」とは、例えば「１ｋｗ（キロワット）」等いった照明機器１０の出力を示す情報である。また、「色彩」とは、照明の色彩を「ＲＧＢ」形式で指定するか「ＣＭＹＫ（Cyan  Magenta  Yellow  Key  plate）」形式で指定するかを示す情報である。
【００４６】
また、「チャネル数」とは、照明機器１０の制御に使用する制御アドレスの数である。また、機器情報とは、照明機器１０が独自に使用する特殊な制御コード等である特殊コードを示す情報である。なお、詳細情報には、図４に示す情報以外にも、製造会社名や機器型番等といった照明機器１０の制御に関する静的な情報が含まれているものとする。
【００４７】
例えば、図４に示す例では、詳細情報記憶部１２１には、「ＵＩＤ１」で示される照明機器１０が「スポットライト」であり、「１ｋｗ」の出力を有し、「ＲＧＢ」形式で色彩の指定を受付け、「４」つの制御アドレスを用いた調光制御を受付け、「特殊コード＃１」といった独自の制御コードを有する旨の情報が登録されている。また、詳細情報記憶部１２１には、「ＵＩＤ２」で示される照明機器１０が「ホリゾントライト」であり、「２ｋｗ」の出力を有し、「ＣＭＹＫ」形式で色彩の指定を受付け、「５」つの制御アドレスを用いた調光制御を受付ける旨の情報が登録されている。
【００４８】
設置位置記憶部１２２には、中継装置であるＤＭＸノード３０、４０の設置位置を示す設置位置情報が登録される。より具体的には、設置位置記憶部１２２には、各ＤＭＸノード３０、４０の設置位置が予め登録されている。また、設置位置記憶部１２２には、ＵＩＤの収集によって各ポート４２、３２に接続された照明機器１０が特定されると、特定された照明機器１０の情報が登録される。
【００４９】
例えば、図５は、実施形態にかかる設置位置記憶部に登録される情報の一例を示す図である。図５に示すように、設置位置記憶部１２２には、「ノードＩＤ」、「設置位置」、「ポートＩＤ」、「ＵＩＤ」、「制御アドレス」、「詳細情報」等が対応付けて登録される。ここで、「ノードＩＤ」とは、ＤＭＸノード３０、４０の識別子である。また、「設置位置」とは、対応付けられた「ノードＩＤ」が示すＤＭＸノード３０、４０が設置された位置を示す情報である。なお、図５に示す例では、「設置位置」として「設置位置＃１」や「設置位置＃２」等といった概念的な値を記載したが、実際には、どのバトンに設置されているか、ステージのどこに設置されているか等を示す情報が登録される。
【００５０】
また、「ポートＩＤ」とは、ＤＭＸノード３０、４０毎にポート３２、４２を識別する識別子である。また、「ＵＩＤ」とは、対応付けられたポートＩＤが示すポートに接続された照明機器１０のＵＩＤである。また、「制御アドレス」とは、対応付けられたＵＩＤが示す照明機器１０が使用する制御アドレスである。また、「詳細情報」とは、対応付けられたＵＩＤが示す照明機器１０の詳細情報である。なお、図５に示す例では、「詳細情報」として、「詳細情報＃１」、「詳細情報＃２」等いった概念的な値を記載した。
【００５１】
例えば、図５に示す例では、設置位置記憶部１２２には、「ノード＃１」が示すＤＭＸノード３０が「設置位置＃１」に設置されており、「ポート＃１」に「ＵＩＤ１」が示す照明機器１０が設置され、「ポート＃２」に「ＵＩＤ２」が示す照明機器１０が設置され、「ポート＃３」に「ＵＩＤ５」が示す照明機器１０が設置され、「ポート＃４」に「ＵＩＤ６」が示す照明機器１０が設置されている旨の情報が登録されている。また、設置位置記憶部１２２には、「ＵＩＤ１」が示す照明機器１０に「１１」〜「１４」までの制御アドレスが設定されており、「ＵＩＤ２」が示す照明機器１０に「１５」〜「１９」までの制御アドレスが設定されており、「ＵＩＤ５」が示す照明機器１０に「２０」〜「２３」までの制御アドレスが設定されており、「ＵＩＤ６」が示す照明機器１０に制御アドレス「２４」が設定されている旨の情報が登録されている。
【００５２】
また、図５に示す例では、設置位置記憶部１２２には、「ＵＩＤ１」が示す照明機器１０の詳細情報が「詳細情報＃１」であり、「ＵＩＤ２」が示す照明機器１０の詳細情報が「詳細情報＃２」であり、「ＵＩＤ５」が示す照明機器１０の詳細情報が「詳細情報＃５」であり、「ＵＩＤ６」が示す照明機器１０の詳細情報が「詳細情報＃６」である旨の情報が登録されている。なお、図５に示す各項目のうち、「ノードＩＤ」、「設置位置」、および「ポートＩＤ」は、あらかじめ登録されている情報である。また、設置位置記憶部１２２には、例えば、どの制御アドレスがどのフェーダに対応付けられているか、どのような制御を行うか等といった制御に用いる各種の情報が登録されているものとする。
【００５３】
図３に戻り、説明を続ける。表示部１３０は、各種情報を表示するための表示装置であり、例えば、液晶モニタやＬＥＤ（Light  Emitting  Diode）モニタ等のディスプレイにより実現され、特定部１５４によって特定された照明機器１０の詳細情報、すなわち、設置対象の候補となる照明機器１０のうち、実際に設置された照明機器１０の詳細情報を表示する。
【００５４】
操作部１４０は、操作者からの操作を受付ける入力装置であり、例えば、フェーダやボタン等といった入力装置により実現される。なお、操作部１４０は、サブマスタフェーダ、シーンボタン、エフェクトボタン等、１つ以上の照明機器１０に対する所定の操作を行うための入力装置であってもよい。なお、例えば、表示部１３０が操作者からの操作を受付けることができるタッチパネルにより実現される場合は、表示部１３０と操作部１４０とは、一体の装置として実現されていてもよい。このような場合、操作部１４０ａ〜１４０ｃは、画面上に表示される仮想的な入力装置により実現されうる。
【００５５】
制御部１５０は、各種の処理手順などを規定したプログラム及び所要データを格納するための内部メモリを有し、これらによって種々の処理を実行するが、特に本発明に密接に関連するものとしては、読出部１５１、登録部１５２、収集部１５３、特定部１５４、照明制御部１５５を有する。
【００５６】
読出部１５１は、照明機器１０に付された無線タグ２０から照明機器１０の詳細情報を読み出す。例えば、読出部１５１は、無線タグリーダ２００との間で通信を行い、無線タグリーダ２００が照明機器１０に付された無線タグ２０から読み出した照明機器１０の詳細情報とＵＩＤとを取得する。そして、読出部１５１は、取得した詳細情報とＵＩＤとを対応付けて詳細情報記憶部１２１に登録する。
【００５７】
登録部１５２は、ＤＭＸノード３０、４０の設置位置の登録を受付ける。例えば、登録部１５２は、図示を省略したキーボードやマウスを介して、照明システム１に接続されるＤＭＸノード３０、４０の登録や、ＤＭＸノード３０、４０が設置された設置位置の登録を受付ける。そして、登録部１５２は、登録されたＤＭＸノード３０、４０が設置された設置位置を、ＤＭＸノード３０、４０のノードＩＤと対応付けて設置位置記憶部１２２に登録する。
【００５８】
収集部１５３は、設置された照明機器１０のＵＩＤを収集する。例えば、収集部１５３は、操作者からＵＩＤの収集指示を受付けた場合は、ＵＩＤの送信要求をＤＭＸノード３０、４０にブロードキャストする。このような場合、各ＤＭＸノード３０、４０は、自装置に接続された各照明機器１０のＵＩＤと、各照明機器１０が接続されたポートのポートＩＤとを対応付けて返信する。
【００５９】
一方、例えば、収集部１５３は、ＤＭＸノード３０から照明機器１０のＵＩＤと照明機器１０が接続されたポートのポートＩＤとを受信すると、ＤＭＸノード３０のノードＩＤを特定し、特定したノードＩＤと、受信したＵＩＤおよびポートＩＤとを対応付けて設置位置記憶部１２２に登録する。例えば、収集部１５３は、ＤＭＸノード３０からＵＩＤ「ＵＩＤ１」とポートＩＤ「ポート＃１」とを受信したものとする。このような場合、収集部１５３は、ＤＭＸノード３０のノードＩＤ（例えば、「ノード＃１」）を特定する。そして、収集部１５３は、設置位置記憶部１２２に登録された情報のうち、「ノード＃１」と対応付けられた「ポート＃１」を特定し、特定した「ポート＃１」と対応付けて、受信したＵＩＤ「ＵＩＤ１」を登録する。
【００６０】
特定部１５４は、詳細情報記憶部１２１が記憶する情報のうち、設置された照明機器１０の情報を特定する。具体的には、特定部１５４は、設置された照明機器１０から受信したＵＩＤと対応付けられた詳細情報を特定する。例えば、特定部１５４は、設置位置記憶部１２２を参照し、収集部１５３が照明機器１０から収集したＵＩＤを読み出し、読み出したＵＩＤと対応付けられた詳細情報を詳細情報記憶部１２１から特定する。そして、特定部１５４は、特定した詳細情報を設置位置記憶部１２２に登録する。
【００６１】
より詳細な例を挙げると、特定部１５４は、設置位置記憶部１２２からＵＩＤ「ＵＩＤ１」を読み出すと、「ＵＩＤ１」と対応付けられた詳細情報を詳細情報記憶部１２１から特定する。そして、特定部１５４は、特定した詳細情報を「詳細情報＃１」として設置位置記憶部１２２に登録する。
【００６２】
なお、特定部１５４は、特定した詳細情報から制御に用いる各種の情報を生成し、生成した情報を設置位置記憶部１２２に登録してもよい。例えば、特定部１５４は、特定した詳細情報から使用チャネル数を特定し、制御アドレスのうち、他の照明機器１０に付与されていない制御アドレスの中から、特定した使用チャネル数と同数の制御アドレスを選択する。そして、特定部１５４は、選択した制御アドレスを「ＵＩＤ１」と対応付けて設置位置記憶部１２２に登録する。
【００６３】
また、特定部１５４は、照明機器１０から受信したＵＩＤと対応づけられた詳細情報が詳細情報記憶部１２１に登録されていない場合は、詳細情報が記憶されていない照明機器１０が接続された旨の通知を表示部１３０に表示させる。例えば、特定部１５４は、収集部１５３が収集したＵＩＤが詳細情報記憶部１２１に登録されていない場合は、そのＵＩＤを表示部１３０に表示させるとともに、「新たな照明機器が接続されています。」等といった通知を表示させる。そして、特定部１５４は、照明機器１０の詳細情報を取得するように操作者が操作した場合は、詳細情報記憶部１２１に登録されていなかったＵＩＤが示す照明機器１０から詳細情報を取得し、取得した詳細情報とＵＩＤとを対応付けて詳細情報記憶部１２１に登録する。
【００６４】
照明制御部１５５は、特定部１５４が特定した詳細情報を表示部１３０に表示させるとともに、特定部１５４が特定した詳細情報を用いて、照明機器１０の制御を行う。例えば、照明制御部１５５は、詳細位置記憶部１２２に登録された情報を用いて、設置された照明機器１０の詳細情報や、照明機器１０が設置されたＤＭＸノード３０、４０の位置等を表示部１３０に表示させる。そして、照明制御部１５５は、例えば、操作者が操作部１４０を操作した場合は、設置位置記憶部１２２に登録された制御アドレスや、詳細情報に含まれる「色彩」や「機器情報」等に従って、照明機器１０を制御する。
【００６５】
［登録処理のフロー］
次に、制御装置１００が各照明機器１０の詳細情報を登録する登録処理の一例を説明する。図６は、実施形態にかかる制御装置の登録処理の一例を説明するフローチャートである。例えば、操作者は、無線タグリーダ２００を用いて、無線タグ２０からＵＩＤと詳細情報とを読み出す（ステップＳ１０１）。このような場合、制御装置１００は、無線タグリーダ２００から、ＵＩＤと詳細情報とを取得する（ステップＳ１０２）。そして、制御装置１００は、読み出されたＵＩＤと詳細情報とを対応付けて詳細情報記憶部１２１に登録し（ステップＳ１０３）、処理を終了する。
【００６６】
[表示処理のフロー］
次に、スタジオや舞台等に設置された照明機器１０の詳細情報を表示する表示処理の一例を説明する。図７は、実施形態に係る制御装置の表示処理の一例を説明するフローチャートである。例えば、制御装置１００は、操作者からの操作に従って、ＵＩＤの送信要求を各ＤＭＸノード３０、４０にブロードキャストする（ステップＳ２０１）。そして、制御装置１００は、設置された照明機器１０のＵＩＤを収集する（ステップＳ２０２）。そして、制御装置１００は、予め登録された詳細情報の中から、収集したＵＩＤと対応付けられた詳細情報を特定する(ステップＳ２０３)。
【００６７】
ここで、制御装置１００は、収集したＵＩＤの中に登録されていないＵＩＤが存在するか否かを判定する（ステップＳ２０４）。そして、登録されていないＵＩＤが存在しない場合は（ステップＳ２０４：Ｎｏ）、特定した詳細情報を表示し（ステップＳ２０５）、処理を終了する。一方、制御装置１００は、登録されていないＵＩＤが存在する場合は（ステップＳ２０４：Ｙｅｓ）、詳細情報が登録されていない照明機器１０が接続された旨を表示し（ステップＳ２０６）、処理を終了する。
【００６８】
[表示される情報の一例について］
次に、制御装置１００が詳細情報を表示する画面の一例を説明する。図８は、実施形態に係る制御装置が表示する情報の一例を示す図である。なお、図８に示す例では、「ＵＨ１」〜「ＵＨ３」、「ＳＬ１」〜「ＳＬ３」で示される各バトン装置のそれぞれにＤＭＸノードが設置されており、各ＤＭＸノードが８つのポートを有する例について記載した。
【００６９】
図８に示すように、表示部１３０は、設置位置記憶部１２２に登録された各ＤＭＸノードの設置位置を模式的に示す画面を表示する。また、表示部１３０は、設置位置記憶部１２２を参照し、照明機器１０が接続されたポートと、各ポートに接続された照明機器１０を操作するフェーダの番号や制御アドレスを特定する。そして、表示部１３０は、特定したポートを模式的に示す位置にフェーダの番号や制御アドレスを表示する。
【００７０】
また、表示部１３０は、例えば、操作者の指Ｔ１０が照明機器１０が接続されたポートを模式的に示す位置を選択した場合は、そのポートに接続された照明機器の詳細情報を設置位置記憶部１２２から読み出し、読み出した詳細情報を表示するウインドウ１３１を表示する。例えば、ウインドウ１３１には、ＵＩＤ「ＵＩＤ２」、制御アドレス「１２」、フェーダ番号「Ｆ２」、器具情報「スポットライト」、型名「ＸＸＸＸＸＸＸ」、出力「２ｋｗ」、接続位置「バトン「ＳＬ１」、ポート「３」」、状態「ＹＹＹＹＹＹＹＹ」といった情報が表示される。  
【００７１】
[詳細情報の登録について］
ここで、上述した例では、制御装置１００は、照明機器１０に付された無線タグ２０から照明機器１０のＵＩＤと詳細情報とを読出し、読出したＵＩＤと詳細情報とを対応付けて記憶した。しかしながら、実施形態は、これに限定されるものではない。すなわち、制御装置１００は、設置対象の候補となる照明機器１０の詳細情報をあらかじめ記憶しているのあれば、任意の方法で詳細情報の登録を受付けてよい。
【００７２】
例えば、制御装置１００は、キーボード等の入力装置を介して、ＵＩＤと詳細情報との組の手入力を受付けてもよい。また、制御装置１００は、例えば、照明機器１０の製造や販売を行った業者が提供するデータベース等から、ネットワークを介して、設置対象の候補となる照明機器１０の詳細情報を取得し、取得した情報を記憶してもよい。また、制御装置１００は、設置対象の候補となる照明機器１０であれば、照明システム１の利用者が購入した照明機器１０のみならず、業者から貸し出される照明機器１０の詳細情報を記憶してもよい。また、制御装置１００は、詳細情報記憶部１２１に登録された情報を、例えば、照明システム１の納入業者等から取得してもよい。
【００７３】
[無線タグ２０の付与について］
ここで、無線タグ２０は、照明機器１０の出荷時において、照明機器１０の筐体に設置されてもよく、照明システム１の導入後において、照明機器１０の筐体に設置されてもよい。例えば、操作者は、各照明機器１０のＵＩＤと詳細情報とが登録された無線タグを、導入済みの照明機器１０に対して設置してもよい。
【００７４】
また、照明システム１においては、例えば、ＤＭＸノード３０、４０等に、ＤＭＸノード３０、４０の設置位置や、ノードＩＤ等が登録された無線タグ２０が付与されていてもよい。このような場合、制御装置１００は、ＤＭＸノード３０、４０の交換が行われるような場合にも、各ＤＭＸノード３０、４０に付された無線タグ２０から設置位置やノードＩＤ等を読み出すことで、設置位置記憶部１２２に登録するＤＭＸノード３０、４０の情報を容易に取得することができる。
【００７５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００７６】
１  照明システム
１０、１０ａ〜１０ｈ  照明機器
２０、２０ａ〜２０ｈ  無線タグ
３０、４０  ＤＭＸノード
３１、４１  通信制御部
３２、３２ａ〜３２ｄ、４２、４２ａ〜４２ｄ  ポート
１００  制御装置
１１０  通信部
１２０  記憶部
１２１  詳細情報記憶部
１２２  設置位置記憶部
１３０  表示部
１４０、１４０ａ〜１４０ｃ  操作部
１５０  制御部
１５１  読出部
１５２  登録部
１５３  収集部
１５４  特定部
１５５  照明制御部
２００  無線タグリーダ
【図１】
0006641955.tif 000002
【図２】
0006641955.tif 000003
【図３】
0006641955.tif 000004
【図４】
0006641955.tif 000005
【図５】
0006641955.tif 000006
【図６】
0006641955.tif 000007
【図７】
0006641955.tif 000008
【図８】
0006641955.tif 000009